(57)【要約】【課題】  無線通信中に既定の入力デバイスによる操作を停止することで、安定した無線通信を確保する情報処理装置を提供することを目的とする。【解決手段】  パーソナルコンピュータ１は、複数の入力デバイスと、通信モジュール２２とを備えている。通信モジュール２２にて外部機器と無線通信を行う場合、複数の入力デバイスの内、操作信号の示す処理を実行しないと選択された入力デバイスを設定する入力デバイス設定部３１を備える。入力操作制御部３２は入力デバイス設定部３１にて設定された入力デバイスから入力される操作信号の示す処理を処理部３０にて行わないように制御を行う。【選択図】  図７
2010176535.tif 000002
【特許請求の範囲】
【請求項１】
上面を有した本体と、
前記本体に連結され、上記上面を覆う閉塞位置と前記上面を開放する開放位置との間を回動可能に設けられたディスプレイユニットと、
前記本体に設けられる無線通信部と、
前記本体に設けられる複数の入力デバイスと、
前記入力デバイスから入力される操作信号の示す処理を実行する処理部と、
前記複数の入力デバイスの内、入力される操作信号の示す処理を前記処理部にて実行しない入力デバイスを設定する入力デバイス設定部と、
前記無線通信部にて無線通信中である場合、前記入力デバイス設定部にて設定される入力デバイスから入力される操作信号の示す処理を実行しないように前記処理部を制御する入力操作制御部と、
を具備することを特徴とする情報処理装置。
【請求項２】
前記無線通信部にて無線通信を行う場合、通信相手の機器の識別信号を読み取る読取部と、
前記識別信号と前記通信相手の機器の種類とを対応付けて記憶する記憶部と、
前記入力デバイス設定部は、前記記憶部にて記憶された前記通信相手の機器の種類に応じて操作信号の示す処理を実行しない入力デバイスを設定することを特徴とする請求項１に記載の情報処理装置。
【請求項３】
前記入力デバイス設定部は、操作信号の示す処理を実行しないと設定する入力デバイスを記憶すること特徴とする請求項２に記載の情報処理装置。
【請求項４】
前記入力デバイス設定部は、操作信号の示す処理を実行すると設定する入力デバイスを記憶し、操作信号の示す処理を実行しないと設定する入力デバイスは記憶している入力デバイス以外の入力デバイスと設定することを特徴とする請求項２に記載の情報処理装置。
【請求項５】
前記入力デバイス設定部は、前記上面に設けられるキーボードの複数のキーの内、既定のキーから入力される操作信号の示す処理を実行しないように設定することを特徴とする請求項２に記載の情報処理装置。
【請求項６】
前記無線通信部は、前記上面に設けられ、
前記複数の入力デバイスの内には、前記上面に設けられる入力デバイスを有し、
前記無線通信部は、前記通信相手の機器が前記無線通信部上に載置された状態で、前記無線通信を行うことを特徴とする請求項５に記載の情報処理装置。
【請求項７】
前記入力操作制御部にて、前記入力デバイス設定部にて設定される入力デバイスから入力される操作信号の示す処理を実行しないように制御する場合、前記制御を行うか否かを確認する画面を、前記ディスプレイユニットに設けられるディスプレイに表示させる確認画面表示部を更に有することを特徴とする請求項６に記載の情報処理装置。
【発明の詳細な説明】
【技術分野】
【０００１】
本発明は、無線通信機能を有する情報処理装置に関する。
【背景技術】
【０００２】
非接触ＩＣ（Ｉｎｔｅｇｒａｔｅｄ  Ｃｉｒｃｕｉｔ）カードリーダにおいて、筐体外面に設けられ接触により信号が入力されるテンキーと、テンキー近傍の筐体内部に設けられ無線通信用のアンテナを有した無線通信部とを備えたものがある。このような非接触ＩＣカードリーダにおいて、非接触ＩＣカードを持った手でテンキーを操作する場合、非接触ＩＣカードがアンテナの検知領域に入り、意図しないタイミングで非接触ＩＣカードと無線通信部とが無線通信を行い、誤作動を起こしてしまうという問題があった。この問題を解決するため、テンキーを操作している場合は非接触ＩＣカードと無線通信部との無線通信を停止し、非接触ＩＣカードと無線通信部との無線通信を行っている場合はテンキーの操作を停止する技術が開示されている（例えば特許文献１参照）。
【先行技術文献】
【特許文献】
【０００３】
【特許文献１】特開２００８−１２３４３３号
【発明の概要】
【発明が解決しようとする課題】
【０００４】
パーソナルコンピュータ等においても、データ転送を行うための無線通信部と、本体に操作信号の入力を行うための入力デバイスが近距離に設置されることがある。しかし安定した無線通信を行うために、上述の技術を用いて入力デバイスの制御を行うと、キーボードやタッチパッドといった複数の入力デバイスが全て停止されることになる。従って、長時間を要するデータ転送を行う場合、データ転送が完了するまでパーソナルコンピュータを一切操作することができず、ユーザにとって不都合となる。また複数のデータの転送を行う場合、転送開始前に転送を行うデータの選択を行うために、一部の入力デバイスは操作可能とした方が利便性の高いものとなる。
【０００５】
従って、上述の技術を複数の入力デバイスが設けられたパーソナルコンピュータに適応するためには、誤作動を起こす虞のある入力デバイスのみの操作を停止し、虞のないものについては操作可能にする必要がある。
【０００６】
本発明は上記課題を解決するためになされたものであり、無線通信中に既定の入力デバイスによる操作を停止することで、安定した無線通信を確保する情報処理装置を提供することを目的とする。
【課題を解決するための手段】
【０００７】
上記目的を達成するために、本発明に係る情報処理装置は、上面を有した本体と、前記本体に連結され、上記上面を覆う閉塞位置と前記上面を開放する開放位置との間を回動可能に設けられたディスプレイユニットと、前記本体に設けられる無線通信部と、前記本体に設けられる複数の入力デバイスと、前記入力デバイスから入力される操作信号の示す処理を実行する処理部と、前記複数の入力デバイスの内、入力される操作信号の示す処理を前記処理部にて実行しない入力デバイスを設定する入力デバイス設定部と、前記無線通信部にて無線通信中である場合、前記入力デバイス設定部にて設定される入力デバイスから入力される操作信号の示す処理を実行しないように前記処理部を制御する入力操作制御部とを具備することを特徴としている。
【発明の効果】
【０００８】
本発明によれば、無線通信中に既定の入力デバイスによる操作を停止することで、安定した無線通信を確保することができる。
【図面の簡単な説明】
【０００９】
【図１】第１の実施の形態における第１のパーソナルコンピュータの外観斜視図。
【図２】第１の実施の形態におけるパーソナルコンピュータの信号処理系を説明するために示すブロック構成図。
【図３】第１の実施の形態にかかる停止する入力デバイスの設定画面の例。
【図４】第１の実施の形態における第２のパーソナルコンピュータの外観斜視図。
【図５】第１の実施の形態にかかる入力デバイス制御を提示する画面の例。
【図６】第１の実施の形態にかかるパーソナルコンピュータの機能を示す機能ブロック図
【図７】第１の実施の形態にかかる無線通信に伴い入力デバイスの制御を行う場合の設定手順を示すフローチャート。
【図８】第２の実施の形態にかかるパーソナルコンピュータの機能を示す機能ブロック図
【図９】第２の実施の形態にかかる無線通信に伴い入力デバイスの制御を行う場合の設定手順を示すフローチャート。
【発明を実施するための形態】
【００１０】
以下に、図１〜図９を参照して、本発明の実施の形態について、例えば、情報処理装置の１つであるパーソナルコンピュータ１に適用した場合を例に説明する。
【００１１】
まず、図１〜図７を用いて、第１の実施の形態について説明する。図１は、第１の実施の形態における第１のパーソナルコンピュータ１の外観斜視図を示す。
【００１２】
パーソナルコンピュータ１はコンピュータ本体２とディスプレイユニット３から構成されている。ディスプレイユニット３には表示装置３ａが組み込まれている。本明細書において、表示装置３ａに対向してパーソナルコンピュータ１を使用するユーザから見て左側を左、ユーザから見て右側を右、手前側を手前、奥側を奥と定義する。
【００１３】
表示装置３ａの前面にタッチパネル２３が積層されている。ディスプレイユニット３は、コンピュータ本体２の上面を覆う閉塞位置とコンピュータ本体２の上面が露出する開放位置との間を回動自在に変化するように、コンピュータ本体２の奥手側端部に設けられたヒンジ４に取り付けられている。コンピュータ本体２は薄い箱状の筐体を有しており、その筐体上面中央部にはキーボード６が設けられる。コンピュータ本体２の手前側の筐体部分上面にはパームレスト２５が形成されている。パームレスト２５のほぼ中央にはタッチパッド５が設けられる。また、タッチパッド５の右側には通信モジュール２２が設けられている。コンピュータ本体２の奥側の筐体部分上面には、コンピュータ本体２の電源をオン／オフするための電源スイッチ７が設けられる。また、本実施の形態におけるパーソナルコンピュータ１は、入力デバイスとしてＵＳＢ（Ｕｎｉｖｅｒｓａｌ  Ｓｅｒｉａｌ  Ｂｕｓ）等でマウス８が接続されているとする。
【００１４】
本実施の形態にかかるパーソナルコンピュータ１は、通信モジュール２２がパームレスト２５の範囲内、通信相手の機器との通信が確立できる距離内に内蔵され、パームレスト２５上に通信相手の機器を載置して通信を行う。従って通信相手の機器がタッチパッド５やキーボード６等の入力デバイスの近傍に位置することになる。通信相手の機器の電源をオンした場合、その機器から発せられる微弱な電波を入力デバイスが操作信号と誤認する、いわゆるノイズが発生することがある。また、小型化が進むパーソナルコンピュータ１においては通信モジュール２２とコンピュータ本体２の上面に設けられる入力デバイスとの距離は狭くなっている。従って、通信モジュール２２上に通信相手の機器を載置して無線通信を行う場合、同じくコンピュータ本体２の上面に設けられた入力デバイスに対して物理的接触が起こる虞がある。このようにノイズや物理的接触による意図しない入力を防止するために、入力デバイスの制御を行う必要がある。
【００１５】
また、本実施の形態においては通信モジュール２２がタッチパッド５の右側に位置する例を説明したが、この形態に限られない。即ち、通信モジュール２２がキーボード６の奥側に位置することも考えられる。その場合には、通信機器を奥側に載置することとなり、タッチパッド５には物理的接触及びノイズは起こりにくいと考えられる。従って、タッチパッド５の入力を制限する必要はなくなる。一方、キーボード６は通信モジュール２２との距離が近く、物理的接触及びノイズが起こる虞が考えられるため、入力を制限する必要がある。このように、通信モジュール２２の位置に応じて、操作を停止する入力デバイスをユーザが詳細に設定することで、無線通信が意図しない動作により中断等されることを防止することができる。
【００１６】
図２は、第１の実施の形態におけるパーソナルコンピュータ１の信号処理系を説明するために示すブロック構成図である。第１の形態におけるパーソナルコンピュータ１は、表示装置３ａと、タッチパッド５と、キーボード６と、電源スイッチ７と、マウス８と、ＣＰＵ（Ｃｅｎｔｒａｌ  Ｐｒｏｃｅｓｓｉｎｇ  Ｕｎｉｔ）１０と、ノースブリッジ１１と、主メモリ１２と、グラフィックスコントローラ１３と、ＶＲＡＭ１４（Ｖｉｄｅｏ  Ｒａｎｄｏｍ  Ａｃｃｅｓｓ  Ｍｅｍｏｒｙ）と、サウスブリッジ１５と、ＨＤＤ（Ｈａｒｄ  Ｄｉｓｋ  Ｄｒｉｖｅ）１６と、ＢＩＯＳ−ＲＯＭ（Ｂａｓｉｃ  Ｉｎｐｕｔ  Ｏｕｔｐｕｔ  Ｓｙｓｔｅｍ  Ｒｅａｄ  Ｏｎｌｙ  Ｍｅｍｏｒｙ）１７と、ＥＣ／ＫＢＣ（Ｅｍｂｅｄｄｅｄ  Ｃｏｎｔｒｏｌｌｅｒ／Ｋｅｙｂｏａｒｄ  Ｃｏｎｔｒｏｌｌｅｒ）１８と、電源コントローラ１９と、バッテリ２０と、ＡＣアダプタ２１と、通信モジュール２２と、タッチパネルコントローラ２３と、タッチパネル２４とを備えている。
【００１７】
表示装置３ａは、グラフィックスコントローラ１３からの映像信号に基づいて、映像を表示する。
【００１８】
タッチパッド５、キーボード６及びマウス８は、ユーザの操作に応じて、パーソナルコンピュータ１に各種の操作信号を入力する入力デバイスである。
【００１９】
電源スイッチ７は、ユーザによる操作に応じてパーソナルコンピュータ１をパワーオン／パワーオフする制御信号を入力する。
【００２０】
ＣＰＵ１０は、本パーソナルコンピュータ１の動作を制御するために設けられたプロセッサであり、ＨＤＤ１６から主メモリ１２にロードされる、オペレーティングシステム及び各種アプリケーションプログラムを実行する。またＣＰＵ１０は、ＢＩＯＳ−ＲＯＭ１７に格納されたシステムＢＩＯＳを主メモリ１２にロードした後、実行する。システムＢＩＯＳはハードウェア制御のためのプログラムである。
【００２１】
ノースブリッジ１１はＣＰＵ１０のローカルバスとサウスブリッジ１５との間を接続するブリッジデバイスである。ノースブリッジ１１には主メモリ１２をアクセス制御するメモリコントローラも内蔵されている。またノースブリッジ１１はＡＧＰ（Ａｃｃｅｌｅｒａｔｅｄ  Ｇｒａｐｈｉｃｓ  Ｐｏｒｔ）バス等を介してグラフィックスコントローラ１３との通信を実行する機能も有している。
【００２２】
主メモリ１２は、ＨＤＤ１６に記憶されるオペレーティングシステム及び各種アプリケーションプログラムや、ＢＩＯＳ−ＲＯＭ１７に格納されたシステムＢＩＯＳを展開されるためのいわゆるワーキングメモリである。
【００２３】
グラフィックスコントローラ１３は、本コンピュータのディスプレイモニタとして使用される表示装置３ａを制御する表示コントローラである。このグラフィックスコントローラ１３はオペレーティングシステム／アプリケーションプログラムによってＶＲＡＭ１４に描画された表示データから、表示装置３ａに表示すべき表示イメージを形成する映像信号を生成する。グラフィックスコントローラ１３によって生成された映像信号はラインに出力される。
【００２４】
サウスブリッジ１５は、ＢＩＯＳ−ＲＯＭ１７へのアクセスや、ＨＤＤ１６及びＯＤＤ（Ｏｐｔｉｃａｌ  Ｄｉｓｋ  Ｄｒｉｖｅ）等のディスクドライブ（Ｉ／Ｏデバイス）の制御を行う。また本実施の形態においては、外部機器と無線通信を行うための通信モジュール２２が接続されている。
【００２５】
ＨＤＤ１６は、オペレーティングシステム及び各種アプリケーションプログラム等を記憶する記憶装置である。
【００２６】
ＢＩＯＳ−ＲＯＭ１７はハードウェア制御のためのプログラムであるシステムＢＩＯＳを格納する書き換え可能な不揮発性メモリである。
【００２７】
ＥＣ／ＫＢＣ１８は、入力手段としてのタッチパッド５、キーボード６の制御を行う。
【００２８】
ＥＣ／ＫＢＣ１８はパーソナルコンピュータ１のシステム状況に関わらず、各種のデバイス（周辺機器、センサ、電源回路等）を監視し制御するワンチップ・マイコンである。またＥＣ／ＫＢＣ１８は、ユーザによる電源スイッチ７の操作に応じて、電源コントローラ１９と共同して、本パーソナルコンピュータ１をパワーオン／パワーオフする機能を有している。
【００２９】
電源コントローラ１９は、外部電源がＡＣアダプタ２１を介して供給されている場合、ＡＣアダプタ２１から供給される外部電源を用いてパーソナルコンピュータ１の各コンポーネントに供給すべきシステム電源を生成する。また、電源コントローラ１９は、外部電源がＡＣアダプタ２１を介して供給されていない場合、バッテリ２０を用いてパーソナルコンピュータ１の各コンポーネント（コンピュータ本体２、及びディスプレイユニット３）に供給すべきシステム電源を生成する。
【００３０】
通信モジュール２２は、外部機器と無線通信を行うためのモジュールであり、無線アンテナや無線通信回路等で構成される。
【００３１】
タッチパネル２３は、表示装置３ａの前面に積層される。表示装置３ａに表示される情報に、タッチパネル２３を介して触れると、それに応じた操作信号の入力を行う入力デバイスである。
【００３２】
タッチパネルコントローラ２４は、ユーザが指で触れたたタッチパネル２３上の位置を検出し、検出結果をＥＣ／ＫＢＣ１８に入力する。尚、タッチパネル２３及びタッチパネルコントローラ２４に代えて、例えばペンによる位置指示が可能なタブレット（デジタイザ）及びタブレットコントローラ（デジタイザコントローラ）を用いても良い。
【００３３】
次に、図３を用いて無線通信中に入力デバイスの制御の設定を行う例を説明する。本明細書においては、入力デバイスの制御として、設定された入力デバイスの操作を停止することを例に説明する。図３は、第１の実施の形態にかかる停止する入力デバイスの設定画面の例である。
【００３４】
まず、初期設定モードを選択するためのラジオボタン１００と、自己選択モードを選択するためのラジオボタン１１０とが排他的に選択可能である。初期設定モードとは、予め設定されている入力デバイスからの操作信号の示す処理を実行しないものである。即ち、通信モジュール２２の位置からノイズや物理的接触が起こると想定される入力デバイスを操作信号の示す処理を実行しない入力デバイスと設定する。自己選択モードとは、ユーザが選択した入力デバイスからの操作信号の示す処理を実行しないものである。ラジオボタン１１０が選択された場合、自己選択モードの下に列挙される各ボタンが選択可能となる。ここで操作停止とは、操作信号の示す処理を実行しないことである。
【００３５】
キーボード６については、無線通信中に操作を停止することを選択するためのラジオボタン１１１と、停止しないことを選択するためのラジオボタン１１２とが排他的に選択可能である。ラジオボタン１１１を選択した場合、詳細設定ボタン１１３が選択可能となる。詳細設定ボタン１１３を選択すると、キーボード６のキーごとに停止するか否かを設定することができる。このキーごとに行う制御について図４を用いて説明する。図４は第１の実施の形態における第２のパーソナルコンピュータ９の斜視図である。第２のパーソナルコンピュータ９は、キーボード６の右側にテンキー６ａが設けられ、奥側にファンクションキー６ｂが設けられている。このようなパーソナルコンピュータにおいて、テンキー６ａのみ停止しないとしたり、ファンクションキー６ｂのみ停止しないとしたりすることで、キーごとの制御が実現する。
【００３６】
タッチパッド５については、無線通信中に操作を停止することを選択するためのラジオボタン１１４と、停止しないことを選択するためのラジオボタン１１５とが排他的に選択可能である。
【００３７】
マウス８については、無線通信中に操作を停止することを選択するためのラジオボタン１１６と、停止しないことを選択するためのラジオボタン１１７とが排他的に選択可能である。
【００３８】
タッチパネル２３については、無線通信中に操作を停止することを選択するためのラジオボタン１１８と、停止しないことを選択するためのラジオボタン１１９とが排他的に選択可能である。
【００３９】
設定した内容を記憶し、設定を終了することを選択するためのボタン１２０と、設定を中止することを選択するためのボタン１２１とが排他的に選択可能である。設定した内容はＨＤＤ１６に記憶される。
【００４０】
次に、通信モジュール２２にて無線通信によるデータ転送を開始する場合、上述のように設定した入力デバイスを停止する際のパーソナルコンピュータ１の動作について説明する。第１の実施の形態においては、入力デバイスの停止する前に、図５に示すような画面を提示する。図５は第１の実施の形態にかかる入力デバイス停止を提示する画面の例である。このような画面を提示する理由は、何ら警告なしに入力デバイスを停止すると、パーソナルコンピュータ１を使用中に突然入力操作が不可能となるためユーザにとって不都合であり、また入力デバイスが故障したと誤解する虞があるからである。また、入力デバイスを停止することを予め設定していた場合でも、転送を行う際に何らかの事情により入力デバイスにより操作を行う必要が生じることがある。このような事態を考慮し、入力デバイスを制御した状態でデータ転送を開始することを選択するボタン１２２と入力デバイスを制御した状態でデータ転送を開始しないことを選択するボタン１２３とが排他的に選択可能である。
【００４１】
次に、第１の実施の形態における無線通信中に操作を停止する入力デバイスの設定手順を説明する。まず、図６に基づき、第１の実施の形態にかかるパーソナルコンピュータ１の機能について説明する。図６は、第１の実施の形態にかかるパーソナルコンピュータ１の機能を示す機能ブロック図である。以下、「〜部」として説明する機能ブロックは、入力デバイスの設定に関するアプリケーションがＣＰＵ１０により読み出され実行されることでそれぞれの機能を実行する。
【００４２】
処理部３０は、タッチパッド５やキーボード６等の各入力デバイスから入力される操作信号の示す処理を実行する。
【００４３】
入力デバイス設定部３１は、各入力デバイスから入力される操作信号の内、操作信号の示す処理を実行しないと予め設定されている入力デバイスの初期設定を記憶している。また、入力デバイス設定部３１は、操作信号の示す処理を実行しない入力デバイスをユーザが選択した場合、その選択された入力デバイスを操作信号の示す処理を実行しない入力デバイスとして設定する。設定については、選択された入力デバイスを記憶し、記憶した入力デバイスから入力された操作信号の示す処理を実行しないとしても良いし、選択されていない入力デバイスを記憶し、記憶した入力デバイスから入力された操作信号の示す処理のみを実行するとしても良い。また、図４に示した第２のパーソナルコンピュータ９等において、キーごとに操作を停止するか否かを設定する場合、そのキーごとに行う制御の設定内容も記憶する。
【００４４】
入力操作制御部３２は、入力デバイス設定部３１の記憶を参照し、記憶されている入力デバイスからの操作信号が示す処理は実行しないように処理部３０を制御する。
【００４５】
確認画面表示部３３は、入力デバイス設定部３１にて設定された入力デバイスの制御を行うか否かを確認する画面を表示するための表示データを生成し、表示装置３ａに表示する。
【００４６】
次に、図７に基づき、第１の実施の形態にかかるパーソナルコンピュータ１の動作について説明する。図７は、第１の実施の形態にかかる無線通信に伴い入力デバイスの制御を行う場合の設定手順を示すフローチャートである。以下の手順は、入力デバイスの設定に関するアプリケーションがＣＰＵ１０により実行され、上述の各機能ブロックが機能を実行することで行われる。以下、図３に例示したように選択された場合を例に説明をする。
【００４７】
本明細書において入力デバイスの制御とは、設定された入力デバイスの操作を停止することを例に説明する。入力デバイスの操作を停止する方法としては、入力デバイスから入力される操作信号を無効化することや、入力デバイスにおいて操作信号を入力する機能を停止すること等がある。通信モジュール２２にて行う無線通信については公知の技術であるので、本明細書においては説明を省略する。
【００４８】
まず、通信モジュール２２にて外部機器との無線通信が確立されたか否かを判別する（ステップＳ１１）。その結果、無線通信が確立されていないと判別した場合（ステップＳ１１のＮｏ）、確立されたと判別するまで以後の手順は行わない。一方、無線通信が確立されたと判別した場合（ステップＳ１１のＹｅｓ）、次に、停止する入力デバイスとして初期設定されている入力デバイスが選択されたか否かを判別する（ステップＳ１２）。即ち図３においてラジオボタン１００が選択されたか否かを判別する。この初期設定については入力デバイス設定部３１にて記憶する。
【００４９】
その結果、初期設定されている入力デバイスが選択されたと判別した場合（ステップＳ１２のＹｅｓ）、即ちラジオボタン１００が選択され且つボタン１１０が選択された場合、後述するステップＳ１４に進む。一方、初期設定されている入力デバイスが選択されていないと判別した場合（ステップＳ１２のＮｏ）、即ちラジオボタン１１０が選択された場合、次に操作を停止する入力デバイスが選択されたか否かを判別する（ステップＳ１３）。即ち図３において、各ラジオボタンや詳細設定ボタンにより選択される。図３の場合、ラジオボタン１１４が選択されているため、タッチパッド５が操作を停止する入力デバイスとして選択されている。選択された内容については入力デバイス設定部３１にて記憶する。
【００５０】
その結果、操作を停止する入力デバイスが選択されていないと判別した場合（ステップＳ１３のＮｏ）、操作を停止する入力デバイスが選択されたと判別するまで以後の処理は行わない。一方、操作を停止する入力デバイスが選択されたと判別した場合（ステップＳ１３のＹｅｓ）、即ち、ラジオボタン１１１〜１１２、１１４〜１１９及び詳細設定ボタン１１３の内で選択がされ且つボタン１１０が選択された場合、次に選択された入力デバイスの操作を停止すること確認する画面を出力する（ステップＳ１４）。即ち、図５に図示した画面をユーザに提示する。確認画面の出力は、確認画面表示部３３にて実行する。
【００５１】
次に、その確認画面にて入力デバイスの操作の停止することが選択されたか否かを判別する（ステップＳ１５）。その結果、停止することが選択されていないと判別した場合（ステップＳ１５のＮｏ）、即ち図６にてボタン１２３が選択された場合、後述するステップＳ１７に進む。一方、停止することが選択されたと判別した場合（ステップＳ１５のＹｅｓ）、即ち図６にてボタン１２２が選択された場合、次に選択された入力デバイスの操作を停止する（ステップＳ１６）。即ち、図３にて操作を停止すると選択されたタッチパッド５の操作を停止する。この操作の停止は、即ち入力操作制御部３２が処理部３０を制御することで実行する。
【００５２】
尚、本実施の形態においてはこの順番としたが、ステップＳ１６をステップＳ１４の前にしても良い。即ち、選択された入力デバイスを一旦停止した後に、確認画面を出力しても良い。
【００５３】
以降のステップはデータ転送を行う無線通信に関するステップであるので詳述はしない。ステップＳ１６の次に、通信相手の機器から、パーソナルコンピュータ１へ転送を行う映像や音楽等のデータが選択されたか否かを判別する（ステップＳ１７）、その結果、転送を行うデータが選択されていないと判別した場合（ステップＳ１７のＮｏ）、後述するステップＳ１９に進む。一方、転送を行うデータが選択されたと判別した場合（ステップＳ１７のＹｅｓ）、次に選択されたデータの転送を行う（ステップＳ１８）。
【００５４】
次に、データ転送を終了することが選択されたか否かを判別する（ステップＳ１９）。
【００５５】
その結果、データ転送を終了することが選択されていないと判別した場合（ステップＳ１９のＮｏ）。ステップＳ１７からの手順を繰り返す。一方、データ転送を終了することが選択されたと判別した場合（ステップＳ１９のＹｅｓ）、次に、無線通信を終了することが選択されたか否かを判別する（ステップＳ２０）。
【００５６】
その結果、無線通信を終了することが選択されていないと判別した場合（ステップＳ２０のＮｏ）、ステップＳ１２からの手順を繰り返す。一方、無線通信を終了することが選択されたと判別した場合（ステップＳ２０のＹｅｓ）、操作を停止していた入力デバイスを元の状態に戻す。即ち、タッチパッド５が再び操作可能な状態となる。
【００５７】
以上のように、第１の実施の形態によれば、通信モジュール２２にて無線通信を行う場合に、入力デバイスの操作を停止することで通信相手の機器によるノイズや物理的接触による意図しない入力を防止することができる。即ち、無線通信を介したデータ転送中等に、意図しない入力によるデータ欠損等が起こることを防止できる。更に、複数設けられた入力デバイスの内、操作を停止する入力デバイスを選択することができる。従って、操作を停止しないとされた入力デバイスによれば、無線通信中においても他のアプリケーション等の操作が可能である。例えば、データ転送に時間を要する場合には、他の再生アプリケーションにて映像を視聴したり、データ転送中に通信相手の機器に記憶されているデータリストから転送を行うデータを選択し、不要なデータ転送を省略したりできる。以上のように、安定した無線通信を確保し、且つ無線通信中に操作可能とする入力デバイスを選択し、必要な操作を行うことができる。
【００５８】
次に、図８〜図９を用いて、第２の実施の形態について説明する。通信モジュール２２にて行う無線通信の通信相手の機器としては様々な形状を有するものが考えられるため、機器に応じた入力デバイスの制御が望ましい。そこで第２の実施の形態は、通信モジュール２２にて無線通信を行う場合に、その通信相手の機器の種類に応じて停止する入力デバイスを自動で選択する。例えば、携帯電話のように薄い即ち高さの低い形状の機器との通信においては、物理的接触は起こりにくいのでキーボード６の操作は通常通り行えるとする方が利便性が高い。一方、ビデオカメラのような機器との通信においては、仮に上述の携帯電話と比べて載置面の面積が同じであっても機器の高さが高いので、倒れてキーボード６に接触する可能性がある。このような場合にはキーボード６の入力を停止し、キーボード６から意図しない入力がされることを防止する必要がある。
【００５９】
第２の実施の形態における無線通信中に操作を停止する入力デバイスの設定手順を説明する。まず、図８に基づき、第２の実施の形態にかかるパーソナルコンピュータ１の機能について説明する。図８は第２の実施の形態にかかるパーソナルコンピュータ１の機能を示す機能ブロック図である。
【００６０】
第２の実施の形態においては、第１の実施の形態と同様の機能ブロックには同じ符号を用いて表し、説明は省略する。第２の実施の形態においては、第１の実施の形態の機能ブロックに加え、更に読取部３４と記憶部３５とを有する。
【００６１】
読取部３４は、通信モジュール２２に設けられ、通信相手の機器の識別信号を読み取る。
【００６２】
記憶部３５は、読取部３４にて読み取った識別信号を、通信相手の機器の種類と対応付けて記憶する。記憶部３５は通信モジュール２２内に設けられるとしても良いし、主メモリ１２内に設けられるとしても良い。
【００６３】
入力デバイス設定部３１は、記憶部３５に記憶された通信相手の機器の種類に応じて、操作信号の示す処理を実行しないとする入力デバイスの設定を行う。設定については、操作信号の示す処理を実行しないとする入力デバイスに対応する通信相手の機器の種類を、記憶しても良いし、実行するとする入力デバイスに対応する通信相手の機器を記憶しても良い。例えば、通信相手の機器が携帯電話に分類されるものについては、タッチパッド５のみの操作を停止し、ビデオカメラに分類されるものについては、タッチパッド５及びキーボード６の操作を停止するという設定を行う。
【００６４】
次に、図９に基づき、第２の実施の形態にかかるパーソナルコンピュータ１の動作について説明する。図９は、第２の実施の形態にかかる無線通信に伴い入力デバイスの制御を行う場合の設定手順を示すフローチャートである。第１の実施の形態と同様の手順は同じ符号を用いて表し、説明は省略する。以下の手順は、入力デバイスの設定に関するアプリケーションがＣＰＵ１０により実行されることで、上述の各機能ブロックが機能を実行することで行われる。通信モジュール２２にて行う無線通信及び通信相手の識別については公知の技術であるので、本明細書においては説明を省略する。
【００６５】
まず、通信モジュール２２にて外部機器との無線通信が確立されたと判別した場合（ステップＳ１１のＹｅｓ）、次に、通信相手の機器が認識されたか否かを判別する（ステップＳ３２）。通信相手の機器の認識とは、読取部３４にて識別信号を読み取り、記憶部３５にてその識別信号と種類とを対応付けて記憶することである。
【００６６】
その結果、通信相手の機器が認識されていないと判別した場合（ステップＳ３２のＮｏ）、認識されたと判別するまで以降の処理は行わない。一方、通信相手の機器の種類が認識されたと判別した場合（ステップＳ３２のＹｅｓ）、次に、通信相手の機器の種類に応じた入力デバイスを停止するか否かの確認画面を出力する（ステップＳ３３）。この確認画面の出力は、確認画面表示部３３にて実行する。
【００６７】
次に、通信相手の機器の種類に応じた入力デバイスの操作を停止することが選択されたか否かを判別する（ステップＳ３４）。その結果、停止することが選択されていないと判別した場合（ステップＳ３４のＮｏ）、後述するステップＳ１７に進む。一方、停止することが選択されたと判別した場合（ステップＳ３４のＹｅｓ）、次に、その通信相手の機器の種類に対応付けて設定されている入力デバイスの操作を停止する（ステップＳ３５）。この操作の停止は、即ち入力操作制御部３２が処理部３０を制御することで実行する。
【００６８】
尚、本実施の形態においてはこの順番としたが、ステップＳ３５をステップＳ３３の前にしても良い。即ち、通信相手の機器の種類に応じた入力デバイスを一旦停止した後に、確認画面を出力しても良い。
【００６９】
ステップＳ３５以降の手順は、第１の実施の形態で述べたステップＳ１７に続くので説明を省略する。
【００７０】
以上のように、第２の実施の形態によれば、通信モジュール２２にて無線通信を行う場合に、入力デバイスの操作を停止することで、通信相手の機器によるノイズや物理的接触による意図しない入力を防止することができる。即ち、無線通信を介したデータ転送中等に、意図しない入力によるデータ欠損等が起こることを防止できる。更に、複数設けられた入力デバイスの内、通信相手の機器の種類等に応じて、操作を停止する入力デバイスが自動的に設定される。従って、操作を停止すると設定されない入力デバイスにより、無線通信中においても他のアプリケーションの操作が可能である。即ち、安定した無線通信を確保し、且つ無線通信中に操作可能な入力デバイスが自動的に設定されることで、必要な操作を行うことが実現する。
【００７１】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００７２】
１  パーソナルコンピュータ
２  コンピュータ本体
３  ディスプレイユニット
３ａ  表示装置
４  ヒンジ
５  タッチパッド
６  キーボード
６ａ  テンキー
６ｂ  ファンクションキー
７  電源スイッチ
８  通信モジュール
９  第２のパーソナルコンピュータ
１０  ＣＰＵ
１１  ノースブリッジ
１２  主メモリ
１３  グラフィックスコントローラ
１４  ＶＲＡＭ
１５  サウスブリッジ
１６  ＨＤＤ
１７  ＢＩＯＳ−ＲＯＭ
１８  ＥＣ／ＫＢＣ
１９  電源コントローラ
２０  バッテリ
２１  ＡＣアダプタ
２２  通信モジュール
２３  タッチパネルコントローラ
２４  タッチパネル
２５  パームレスト
３０  処理部
３１  入力デバイス設定部
３２  入力操作制御部
３３  確認画面表示部
３４  読取部
３５  記憶部
１１１〜１１２、１１４〜１１９  ラジオボタン
１１３  詳細設定ボタン
１２０〜１２３  ボタン
【図１】
2010176535.tif 000003
【図２】
2010176535.tif 000004
【図３】
2010176535.tif 000005
【図４】
2010176535.tif 000006
【図５】
2010176535.tif 000007
【図６】
2010176535.tif 000008
【図７】
2010176535.tif 000009
【図８】
2010176535.tif 000010
【図９】
2010176535.tif 000011
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
本体と、
前記本体に設けられ、他の装置との間で近距離無線通信を行う無線通信部と、
前記本体に設けられる入力デバイスと、
前記本体に設けられる表示部と、
前記入力デバイスから入力される操作信号の示す処理を実行する処理部と、
前記無線通信部にて近距離無線通信中である場合、前記入力デバイスから入力される操作信号の示す処理を実行しないように前記処理部を制御すると共に、入力デバイスの操作が無効である旨を前記表示部へ表示する入力操作制御部と、
を具備する情報処理装置。
【請求項２】
前記入力デバイスが前記本体に複数設けられる場合、前記複数の入力デバイスの内で入力される操作信号の示す処理を前記処理部にて実行しない入力デバイスを設定する入力デバイス設定部と、
前記入力操作制御部は、前記無線通信部にて近距離無線通信中である場合、前記入力デバイス設定部にて設定される入力デバイスから入力される操作信号の示す処理を実行しないように前記処理部を制御する請求項１に記載の情報処理装置。
【請求項３】
前記無線通信部にて近距離無線通信を行う場合、通信相手の機器の識別信号を読み取る読取部と、
前記識別信号と前記通信相手の機器の種類とを対応付けて記憶する記憶部と、
前記入力デバイス設定部は、前記記憶部にて記憶された前記通信相手の機器の種類に応じて操作信号の示す処理を実行しない入力デバイスを設定する請求項２に記載の情報処理装置。
【請求項４】
前記入力デバイス設定部は、操作信号の示す処理を実行すると設定する入力デバイスを記憶し、操作信号の示す処理を実行しないと設定する入力デバイスは記憶している入力デバイス以外の入力デバイスと設定することを特徴とする請求項２に記載の情報処理装置。
【請求項５】
前記入力デバイス設定部は、前記本体の上面に設けられるキーボードの複数のキーの内、既定のキーから入力される操作信号の示す処理を実行しないように設定する請求項２に記載の情報処理装置。
【請求項６】
前記無線通信部は、前記上面に設けられ、
前記複数の入力デバイスの内には、前記上面に設けられる入力デバイスを有し、
前記無線通信部は、前記通信相手の機器が前記無線通信部上に載置された状態で、前記近距離無線通信を行う請求項５に記載の情報処理装置。
【請求項７】
前記入力操作制御部にて、前記入力デバイス設定部にて設定される入力デバイスから入力される操作信号の示す処理を実行しないように制御する場合、前記制御を行うか否かを確認する画面を、前記表示部に表示させる請求項６に記載の情報処理装置。